(57)【要約】【課題】  １つのカードスロットのみを備えたパソコンに使用した場合にも、外部からの衝撃力からＰＣカード本体を保護することができ、しかも、汎用性と携帯性に優れたカバー付きＰＣカードを提供する。【解決手段】  ＰＣカード本体２とカバー３とカバー回動機構４とを備える。具体的には、カバー回動機構４をカバー３に設けたガイドピン４１とＰＣカード本体２に設けた長溝４０とで構成する。これにより、カバー３をＰＣカード本体２に対してスライドさせ、かつ長溝４０の一方端部の個所で、カバー３をガイドピン４１を軸として回動させることにより、ＰＣカード本体２の上面と下面とを選択的にカバー３で覆うことができる。なお、好ましくは、カバー３をＰＣカード本体２に固定するストッパ５を設ける。【選択図】図１
2005196247.tif 000002
【特許請求の範囲】
【請求項１】
略板体状をなし、先端部側を露出させた状態でパーソナルコンピュータのカードスロットに挿入して接続可能なＰＣカード本体と、
このＰＣカード本体の上面または下面と両側面とを覆うことが可能な断面略コ字状のカバーと、
このカバーの側面又は上記ＰＣカード本体の側面の一方に形成されたガイド部，及び他方に突設され且つこのガイド部に回動及びスライド自在に支持された軸部を有し、カバーをＰＣカード本体に対して所定距離だけスライドさせた状態で、上記軸部を中心にカバーを回動させることにより、ＰＣカード本体の上面又は下面を選択的に覆うことができるようにしたカバー回動機構と
を備えることを特徴とするカバー付きＰＣカード。
【請求項２】
上記カバー回動機構のガイド部を、上記ＰＣカード本体の両側面に凹設された長溝で形成し、
上記軸部を、上記長溝に嵌合し、上記カバーの側面内側であって且つカバーがＰＣカード本体の上面を覆った状態で上記側面内側の先端部側に位置する部位に突設されたガイドピンで形成した、
ことを特徴とする請求項１に記載のカバー付きＰＣカード。
【請求項３】
上記カバー回動機構のガイド部を、上記カバーの両側面に凹設された長溝又は切り欠かれた長孔で形成し、
上記軸部を、上記長溝又は長孔に嵌合し、上記ＰＣカード本体の側面後端部側に突設されたガイドピンで形成した、
ことを特徴とする請求項１に記載のカバー付きＰＣカード。
【請求項４】
上記カバーを上記ＰＣカード本体に固定するためのストッパを設けた、
ことを特徴とする請求項１ないし請求項３のいずれかに記載のカバー付きＰＣカード。
【請求項５】
上記ストッパは、上記カバーの側面内側に突設され、上記ＰＣカード本体の側面に圧接する凸部又は板バネ片である、
ことを特徴とする請求項４に記載のカバー付きＰＣカード。
【請求項６】
上記ストッパは、上記カバーの側面内側に突設された凸部と、上記ＰＣカード本体の側面に凹設され上記凸部と係合可能な凹部とを有してなる、
ことを特徴とする請求項４記載のカバー付きＰＣカード。
【請求項７】
上記ストッパの凸部と凹部の係合位置は、上記カバーが上記ＰＣカード本体の下面を覆った状態で、カバーの先端が上記ＰＣカード本体の先端よりも先方に突出するように設定されている
ことを特徴とする請求項６に記載のカバー付きＰＣカード。
【請求項８】
上記ストッパは、上記ＰＣカード本体の下面を覆った状態の上記カバーの先端部に設けられ且つ上記ＰＣカード本体先端部に上方から係止するフックバネ部材である、
ことを特徴とする請求項４に記載のカバー付きＰＣカード。
【請求項９】
上記ＰＣカード本体は、無線通信機能付きＰＣカードである、
ことを特徴とする請求項１ないし請求項８のいずれかに記載のカバー付きＰＣカード。
【発明の詳細な説明】
【技術分野】
【０００１】
この発明は、ノート型のパーソナルコンピュータ（以下「パソコン」と記す）のカードスロットに挿入されて用いられるカバー付きＰＣカードに関するものである。
【背景技術】
【０００２】
近年では、無線ＬＡＮカードやモデムカードのように無線通信機能を備えたＰＣカードが普及しつつある。
このような無線通信機能を備えたＰＣカードは、パソコンのカードスロットに挿入して接続するが、そのＰＣカード本体の先端に設けられたアンテナ部分については、パソコンから外部に露出させている。
したがって、露出したアンテナ部分に外部からの衝撃力が加わって、アンテナ部分やＰＣカード本体が破損するおそれがある。
そこで、縦方向に２つのカードスロットを有したノート型パソコンにおいては、上段のカードスロットに装着したＰＣカードを下段のカードスロットに装着した保護部材によって保護する技術が提案されている（例えば、特許文献１参照）。
【０００３】
【特許文献１】特開２００３−２２８５２号公報
【発明の開示】
【発明が解決しようとする課題】
【０００４】
しかし、上記した従来の技術では、次のような問題がある。
すなわち、パソコン上下２段のカードスロットのうち、実質的に電子デバイスまたは通信デバイスとして機能することができるのは、ＰＣカードが装着された上段のカードスロットのみである。そして、保護部材は電子デバイスまたは通信デバイスとしてはダミーであるから、そのような保護部材が装着される下段のカードスロットについては、本来の機能を果たすことができず実質的に無駄な状態となる。
【０００５】
また、保護部材とＰＣカードとは互いに別体なので、これらを上記のように実際に用いるためには、保護部材が常にパソコン側に用意されていなければならず、保護部材を備えていない（あるいは装着されていない）パソコンには適用不可能であり、汎用性に欠ける技術であるといえる。また、常に保護部材をＰＣカードと共に携帯していなければならないが、これら別体の２つの部品を常にユーザーが忘れぬように一組にして携帯するのは極めて煩雑なものである。すなわち、上記のような保護部材とＰＣカードとの組み合わせは、携帯性の点で難点がある。
【０００６】
この発明は、上述した課題を解決するためになされたもので、１つのカードスロットのみを備えたパソコンに使用した場合にも、外部からの衝撃力からＰＣカード本体を保護がすることのでき、しかも、汎用性と携帯性に優れたカバー付きＰＣカードを提供することを目的とする。
【課題を解決するための手段】
【０００７】
上記課題を解決するために、請求項１の発明に係るカバー付きＰＣカードは、略板体状をなし、先端部側を露出させた状態でパーソナルコンピュータのカードスロットに挿入して接続可能なＰＣカード本体と、このＰＣカード本体の上面または下面と両側面とを覆うことが可能な断面略コ字状のカバーと、このカバーの側面又はＰＣカード本体の側面の一方に形成されたガイド部，及び他方に突設され且つこのガイド部に回動及びスライド自在に支持された軸部を有し、カバーをＰＣカード本体に対して所定距離だけスライドさせた状態で、軸部を中心にカバーを回動させることにより、ＰＣカード本体の上面又は下面を選択的に覆うことができるようにしたカバー回動機構とを備える構成とした。
かかる構成により、使用時には、カバー回動機構を用いて、カバーをＰＣカード本体に対して所定距離だけスライドさせ、軸部を中心にカバーを回動させることにより、ＰＣカード本体の下面をカバーで覆うことができる。かかる状態で、ＰＣカード本体をパーソナルコンピュータのカードスロットに挿入して接続すると、先端部が露出したＰＣカード本体がカバーで下側から覆われた状態になる。非使用時には、ＰＣカード本体をカードスロットから抜いた後、カバー回動機構を用いて、カバーを元に戻す方向にスライドさせて回動させると、ＰＣカード本体の上面がカバーで覆われる。
【０００８】
また、請求項２の発明は、請求項１に記載のカバー付きＰＣカードにおいて、カバー回動機構のガイド部を、ＰＣカード本体の両側面に凹設された長溝で形成し、軸部を、長溝に嵌合し、カバーの側面内側であって且つカバーがＰＣカード本体の上面を覆った状態で側面内側の先端部側に位置する部位に突設されたガイドピンで形成した構成としてある。
かかる構成により、カバーをＰＣカード本体に対して移動させると、長溝に嵌合したガイドピンが移動し、カバーが容易にスライドする。そして、カバーを回動させると、カバーがガイドピンを軸として回動する。
【０００９】
請求項３の発明は、請求項１に記載のカバー付きＰＣカードにおいて、カバー回動機構のガイド部を、カバーの両側面に凹設された長溝又は切り欠かれた長孔で形成し、軸部を、長溝又は長孔に嵌合し、ＰＣカード本体の側面後端部側に突設されたガイドピンで形成した構成とする。
かかる構成により、カバーをＰＣカード本体に対して移動させると、ＰＣカード本体のガイドピンに嵌合した長溝又は長孔がカバーと一体に移動し、カバーが容易にスライドする。そして、カバーを回動させると、カバーがガイドピンを軸として回動する。
【００１０】
請求項４の発明は、請求項１ないし請求項３のいずれかに記載のカバー付きＰＣカードにおいて、カバーをＰＣカード本体に固定するためのストッパを設けた構成とする。
かかる構成により、カバーがストッパによってＰＣカード本体に固定され、ＰＣカード本体と一体になるので、使用時や非使用時に、カバーがＰＣカード本体に対して動くことはない。
【００１１】
請求項５の発明は、請求項４に記載のカバー付きＰＣカードにおいて、ストッパは、カバーの側面内側に突設され、ＰＣカード本体の側面に圧接する凸部又は板バネ片である構成とした。
【００１２】
請求項６の発明は、請求項４記載のカバー付きＰＣカードにおいて、ストッパは、カバーの側面内側に突設された凸部と、ＰＣカード本体の側面に凹設され凸部と係合可能な凹部とを有してなる構成とした。
【００１３】
請求項７の発明は、請求項６に記載のカバー付きＰＣカードにおいて、ストッパの凸部と凹部の係合位置は、カバーがＰＣカード本体の下面を覆った状態で、カバーの先端がＰＣカード本体の先端よりも先方に突出するように設定されている構成とした。
かかる構成により、ＰＣカード本体がパソコンに装着された際に、外部に露出したＰＣカード本体の先端部が、先方に突出するカバーによって保護される。
【００１４】
請求項８の発明は、請求項４に記載のカバー付きＰＣカードにおいて、ストッパは、ＰＣカード本体の下面を覆った状態のカバーの先端部に設けられ且つＰＣカード本体先端部に上方から係止するフックバネ部材である構成とした。
【００１５】
請求項９の発明は、請求項１ないし請求項８のいずれかに記載のカバー付きＰＣカードにおいて、ＰＣカード本体は、無線通信機能付きＰＣカードである構成とした。
【発明の効果】
【００１６】
以上説明したように、請求項１ないし請求項９の発明によれば、使用時には、カバー回動機構を用いて、ＰＣカード本体の下面をカバーで覆った状態で、ＰＣカード本体をパーソナルコンピュータのカードスロットに挿入接続することができるので、ＰＣカード本体を外部からの衝撃力から保護することができる。しかも、上下２段のカードスロットを必要とすることなく、また、ＰＣカード本体とは別体の保護部材を用いることなく、１つのカードスロットのみの使用で済むので、汎用性に優れたカバー付きＰＣカードを提供することができる。また、非使用時には、ＰＣカード本体をカードスロットから抜いた後、ＰＣカード本体の上面をカバーで覆って持ち歩くことができるので、携帯性にも優れている。
【００１７】
また、請求項２及び請求項３の発明によれば、長溝又は長孔とガイドピンという簡単な部材でカバー回動機構を構成することができるので、カバー付きＰＣカードの製造コストの低減化を図ることができる。
【００１８】
請求項４の発明によれば、カバーがストッパによってＰＣカード本体に固定され、使用時や非使用時に、カバーがＰＣカード本体に対して動くことはないので、使用時におけるパソコンとの接続性と非使用時における携帯性とを高めることができる。
【００１９】
請求項５ないし請求項８の発明によれば、ストッパを、少ない部材で簡単に形成することができる凸部又は板バネ片、凸部と係合可能な凹部、フックバネ部材などで構成したので、その分製造コストの低減化を図ることができる。
【００２０】
特に、請求項７の発明によれば、外部に露出したＰＣカード本体の先端部を、先方に突出するカバーによって保護するので、ＰＣカード本体に対する保護機能をさらに高めることができる。
【００２１】
また、請求項９の発明によれば、屋外に持ち運ぶことが多い無線通信機能付きＰＣカードにおいて、携帯性等に極めて高い効果を発揮する。
【発明を実施するための最良の形態】
【００２２】
以下、この発明の最良の形態について図面を参照して説明する。
【実施例１】
【００２３】
図１は、この発明の第１実施例に係るカバー付きＰＣカードを示す分解斜視図であり、図２は非使用時の状態を示す斜視図であり、図３は、使用時における状態を示す斜視図である。
【００２４】
この実施例のカバー付きＰＣカード１（以下、単に「ＰＣカード１」と記す。）は、無線ＬＡＮカードであり、図１に示すように、ＰＣカード本体２とカバー３とカバー回動機構４とを備えてなる。
【００２５】
ＰＣカード本体２は、無線通信機能付きＰＣカードとしての無線ＬＡＮカードの本体をなす。ＰＣカード本体２は、後述するように、先端部側（図の右側）を露出させた状態でノート型パソコンのカードスロットに挿入することができるように、全体として略板体状をなし、その先端部側に、アンテナ部２０を有し、後端部側に、コネクタ部２１を有している。なお、ＰＣカード本体２は、国内標準規格であるＪＥＩＤＡ（日本電子工業振興協会）ＶＥＲ４．１以上又は米国の規格であるＰＣＭＣＩＡ（Personal Computer Memory Card International Association) ＶＥＲ２．０以上の規格に適合したカードモジュールであり、無線ＬＡＮカードとしての構造は周知であるので、記載は省略する。
【００２６】
カバー３は、プラスチックで形成された断面略コ字状のケース体であり、ＰＣカード本体２の上面２ａまたは下面２ｂと両側面２ｃ，２ｃとを覆うことができる。
具体的には、カバー３は、平面部３０と両側面部３１，３１とで構成されており、図２に示すように、カバー３がＰＣカード本体２の上面２ａ側に位置する場合には、平面部３０がアンテナ部２０以外のほぼ全面を覆うと共に両側面部３１，３１が両側面２ｃ，２ｃを覆う。また、図３に示すように、カバー３がＰＣカード本体２の下面２ｂ側に位置する場合には、平面部３０がＰＣカード本体２の下面２ｂを覆うと共に両側面部３１，３１が両側面２ｃ，２ｃを覆うようになっている。
【００２７】
図１において、カバー回動機構４は、ＰＣカード本体２の上面２ａ又は下面２ｂをカバー３によって選択的に覆うことができるようにした機構であり、ガイド部としての長溝４０と軸部としてガイドピン４１とを有している。
具体的には、長溝４０は、ＰＣカード本体２の両側面２ｃ，２ｃに凹設され、各長溝４０は、側面２ｃの先端付近から後端付近までに亘っている。
ガイドピン４１は、長溝４０に回動及びスライド自在に支持される部材であり、カバー３の両側面部３１，３１に設けられている。
具体的には、ガイドピン４１が、カバー３の両側面部３１，３１の内側にそれぞれ突設され、図４にも示すように、長溝４０に緩く嵌め合わされて、ガイドピン４１がＰＣカード本体２の長溝４０に対して長手方向に移動することができるようになっている。また、ガイドピン４１の突設位置は、図２に示すように、ＰＣカード本体２がＰＣカード本体２の上面２ａを覆った状態で、ガイドピン４１が側面部３１の先端部側に位置する部位である。
これにより、カバー３をＰＣカード本体２に対し長溝４０に沿って後方スライドさせ、ガイドピン４１が長溝４０の後端４０ａに突き当たった状態で、カバー３をガイドピン４１を中心に回動させることができるようになっている。
【００２８】
さらに、この実施例のＰＣカード１では、図１に示すように、カバー３をＰＣカード本体２に固定するためのストッパ５が設けられている。
図５は、ストッパ５の係合状態を示す部分断面図であり、図６はストッパの非係合状態を示す断面図である。
ストッパ５は、図１に示すように、凸部５０と凹部５１とで構成される。
具体的には、、凸部５０は、カバー３の両側面部３１，３１内側に突設され、ガイドピン４１とは逆側の後端部に位置する。一方、凹部５１は、凸部５０と係合可能な部分であり、ＰＣカード本体２の各側面２ｃに凹設されている。詳しくは、各側面２ｃにおいて、２つの凹部５１が長溝４０上の前，後部にそれぞれ配設されている。
これにより、図５に示すように、凸部５０が凹部５１内に入って係合すると、カバー３がＰＣカード本体２に固定され、かかる状態からカバー３をスライドさせると、図６に示すように、凸部５０と凹部５１との係合が解除され、凸部５０の先端が長溝４０に入った状態で移動することができる。
さらに、このストッパ５では、図３に示すように、前側の凹部５１と凸部５０との係合位置が、カバー３がＰＣカード本体２の下面２ｂを覆った状態で、カバー３の先端３ａがＰＣカード本体２の先端よりも先方に突出するように設定されている。
【００２９】
次に、この実施例のカバー付きＰＣカードを示す使用方法について説明する。
図７は、非使用時の状態の説明図であり、図８はカバーをＰＣカード本体に対してスライドさせた状態の説明図であり、図９は、カバーの回転状態の説明図であり、図１０は、カバーをＰＣカード本体の下方に位置させた状態の説明図であり、図１１はカバー先端をＰＣカード本体から突出させた状態を示す説明図であり、図１２は使用時の状態を示す斜視図である。
【００３０】
まず、ＰＣカード１の非使用時には、図７に示すように、カバー３をＰＣカード本体２の上面に位置させた状態にしておく（図７（ａ））。このとき、ストッパ５の凸部５０を後方の凹部５１に係合させておく（図７（ｂ）。これにより、カバー３とＰＣカード本体２との自由スライドが止められ、カバー３がＰＣカード本体２上に固定される。
したがって、この状態では、ＰＣカード本体２とカバー３とが一体となり、しかも、ＰＣカード本体２の上面２ａと両側面２ｃ，２ｃとがカバー３によって保護される。この結果、かかる状態のＰＣカード１をバッグやポケットなどに入れて容易且つ安全に持ち歩くことができる。
【００３１】
そして、ＰＣカード１を使用する場合には、図８に示すように、カバー３をＰＣカード本体２の後方に引っ張る。すると、ストッパ５の凸部５０と凹部５１との係合が解除されて、カバー３がＰＣカード本体２の後方にスライドする（図８（ａ））。このとき、カバー回動機構４のガイドピン４１がＰＣカード本体２の長溝４０の中を移動し、最終的に長溝４０の後端４０ａに突き当たる（図８（ｂ））。
【００３２】
したがって、この状態から、図９に示すように、カバー３をＰＣカード本体２側に力を加えると（図９（ａ））、カバー３がガイドピン４１を中心として回動する（図９（ｂ））。そこで、図１０に示すように、カバー３を約１８０度回転させると、カバー３はＰＣカード本体２の下面２ｂ側に位置する（図１０（ａ））。このとき、ストッパ５の凸部５０は長溝４０上にあり、凹部５１とは係合していない（図１０（ｂ））。このため、カバー３を、ＰＣカード本体２の先端方向へと戻すようにスライドさせることが容易となっている。
【００３３】
したがって、図１１に示すように、カバー３をＰＣカード本体２の先端側にスライドさせていくと、やがてストッパ５の凸部５０が、ＰＣカード本体２の凹部５１と係合して、カバー３がＰＣカード本体２に固定される（図１１（ｂ））。すると、カバー３がＰＣカード本体２の下面２ｂに位置して、その先端３ａがＰＣカード本体２から突出した状態となる。
【００３４】
この状態で、図１２に示すように、ＰＣカード１を、後端部側からノート型パソコン１００のカードスロット１０１に挿入することで、ＰＣカード１が使用可能な状態になる。
このとき、ＰＣカード本体２のアンテナ部２０側がノート型パソコン１００から突出した状態になっているので、外部の衝撃を受けやすいが、ＰＣカード本体２がカバー３によって下側及び両側から覆われているので、衝撃がこのカバー３によって緩和され、ＰＣカード本体２は安全に保護される。
【００３５】
ＰＣカード１の使用後には、ノート型パソコン１００から取り出して、上記のちょうど逆向きの動作を行うことで、カバー３の位置をＰＣカード本体２の下面側から上面側へと転換することができる。
【００３６】
以上のように、この実施例のカバー付きＰＣカード１によれば、カバー回動機構４によって、カバー３をＰＣカード本体２の上面を覆う状態から下面を覆う状態へと、あるいは逆にＰＣカード本体２の下面を覆う状態から上面を覆う状態へと、選択的に転換させることが可能である。この結果、上下２段のカードスロットなどを必要とすることなく、またＰＣカード本体２とは別体の保護部材を用いることなく、１つのカードスロットのみの使用するだけで、ＰＣカード本体２をカバー３によって外部からの衝撃力から保護することが可能である。
【００３７】
また、カバー回動機構４のガイドピン４１が長溝４０に対して常に嵌め合わされた状態になっているため、ガイドピン４１が長溝４０で常に支持される。このため、カバー３はＰＣカード本体２から分離してしまうことがない。したがって、カバー３ごとＰＣカード本体２を携帯することができるので、このカバー付きＰＣカードは全体として、携帯性が極めて良好なものとなっている。しかも、ストッパ５によって、カバー３がＰＣカード本体２に固定されているので、携帯性はさらに高められている。
【実施例２】
【００３８】
次に、第２実施例について説明する。
図１３は、この発明の第２実施例に係るカバー付きＰＣカードを示す斜視図であり、図１４は使用時におけるカバー付きＰＣカードの斜視図である。
この実施例のカバー付きＰＣカード１′（以下、「ＰＣカード１′」と記す。）は、カバー回動機構を、カバー３の両側面部３１，３１に切り欠き形成された長孔４０′と、長孔４０′に嵌合し、ＰＣカード本体２の両側面２ｃ，２ｃに突設されたガイドピン４１′とで構成し、上記カバー回動機構４と逆の構成にした点が、上記第１実施例と異なる。
かかるカバー回動機構は、ＰＣカード本体２に段差のない平坦なアンテナ部２０′が設けられている場合に有効である。
かかる構成により、図１３に示す非使用状態において、カバー３をＰＣカード本体２の後方にスライドさせた後、カバー３を回動させることで、図１４に示すように、ＰＣカード本体２の下面２ｂと両側面２ｃ，２ｃとの全面を覆う。したがって、かかる状態で、ＰＣカード１′を図１２に示したノート型パソコン１００のカードスロット１０１に挿入することで使用することができる。なお、図において、符号５０′及び５１′は、ＰＣカード本体２の側面２ｃに突設された凸部、及びカバー３の側面部３１の内側に応接された凹部であり、これら凸部５０′と凹部５１′とでストッパを構成している。また、この実施例では、図１４に示すように、カバー３がＰＣカード本体２の下面側に位置した状態で、カバー３の先端部がＰＣカード本体２から突出するように設定されていないが、カバー３の先端部がＰＣカード本体２から突出するように、カバー３の長さを設定しても良い。
その他の構成，作用及び効果は上記第１実施例と同様であるので、その記載は省略する。
【実施例３】
【００３９】
次に、第３実施例について説明する。
図１５は、この発明の第３実施例に係るカバー付きＰＣカードの側面図であり、図１６は使用時におけるカバー付きＰＣカードの側面図である。
この実施例のカバー付きＰＣカードは、ストッパとして、フックバネ部材５２を用いた点が、上記第１及び第２実施例と異なる。
具体的には、フックバネ部材５２は、カバー３の平面部３０の端部に形成され、図１６に示すように、カバー３がＰＣカード本体２の下面２ｂを覆った状態で、フックバネ部材５２がカバー３の先端部に位置する。すなわち、図１５に示すように、カバー３がＰＣカード本体２の上面２ａに位置しているときには、フックバネ部材５２はＰＣカード本体２の後端部付近に位置して、その位置でＰＣカード本体２に係止する。また、図１６に示すように、カバー３がＰＣカード本体２の下面２ｂに位置しているときには、フックバネ部材５２はＰＣカード本体２の先端部付近に位置していて、その位置でＰＣカード本体２と係止する。このように、フックバネ部材５２は、ＰＣカードの非使用時及び使用時において、ＰＣカード本体２に対するカバー３の不用意な移動を防止している。
その他の構成，作用及び効果は上記第１及び第２実施例と同様であるので、その記載は省略する。
【００４０】
なお、この発明は、上記実施例に限定されるものではなく、発明の要旨の範囲内において種々の変形や変更が可能である。
【００４１】
例えば、上記実施例では、先端及び後端の双方が開口したカバー３を例示したが、図１７に示すように、カバー３の一方端開口（図においては後端開口）に遮蔽壁２２を設けることもできる。これにより、非使用時におけるＰＣカード本体２のコネクタ部２１へのゴミなどの侵入を防止することができるだけでなく、カバー３の捩じれ方向での構造力学的強度を、遮蔽壁２２によって補強することができる。
【００４２】
また、上記第１実施例では、ストッパ５を凸部５０と凹部５１とで構成したが、凸部５０の代わりに、図１８に示すように、カバー３の側面部３１を一部切り欠いてその切り欠き片を内側に湾曲させて突出させることにより形成した板バネ片５３を用いても良い。これにより、板バネ片５３が凹部５１内に嵌まった状態でＰＣカード本体２の側面２ｃを圧接することにより、カバー３を固定することができる。
なお、上記全ての実施例において、ストッパを設けたカバー付きＰＣカードについて説明したが、ストッパを有しないカバー付きＰＣカードをこの発明から除外する意味ではない。
【００４３】
また、上記第２実施例では、カバー３の両側面部３１，３１に切り欠き形成された長孔４０′を設けたカバー回動機構を例示したが、長孔４０′の代わりに、カバー３の両側面部３１，３１に凹設された長溝を用い、ガイドピン４１′をこの長溝に嵌め込んで、カバー回動機構を構成しても良い。
【００４４】
また、上記嫉視例では、無線ＬＡＮカードの例について説明したが、モデムカードなど、無線通信機能付きのＰＣカードについて適用することができることは勿論である。また、無線通信機能が付いていないＰＣカードを除外する意味でもない。即ち、有線のＬＡＮカードなどについても適用することができることは明らかである。
【図面の簡単な説明】
【００４５】
【図１】この発明の第１実施例に係るカバー付きＰＣカードを示す分解斜視図であり、
【図２】ＰＣカードの非使用時の状態を示す斜視図であり、
【図３】ＰＣカードの使用時における状態を示す斜視図である。
【図４】ガイドピンと長溝との嵌合状態を示す部分拡大断面図である。
【図５】ストッパの係合状態を示す部分断面図である。
【図６】ストッパの非係合状態を示す断面図である。
【図７】ＰＣカードの非使用時の状態の説明図である。
【図８】カバーをＰＣカード本体に対してスライドさせた状態の説明図である。
【図９】カバーの回転状態の説明図である。
【図１０】カバーをＰＣカード本体の下方に位置させた状態の説明図である。
【図１１】カバー先端をＰＣカード本体から突出させた状態を示す説明図である。
【図１２】ＰＣカードの使用時の状態を示す斜視図である。
【図１３】この発明の第２実施例に係るカバー付きＰＣカードを示す斜視図である。
【図１４】使用時におけるカバー付きＰＣカードの斜視図である。
【図１５】この発明の第３実施例に係るカバー付きＰＣカードの側面図である。
【図１６】使用時におけるカバー付きＰＣカードの側面図である。
【図１７】第１変形例に係るＰＣカードの斜視図である。
【図１８】第２変形例の要部の部分拡大断面図である。
【符号の説明】
【００４６】
１，１′…カバー付きＰＣカード（ＰＣカード）、  ２…ＰＣカード本体、  ２ａ…上面、  ２ｂ…下面、  ２ｃ…側面、  ３…カバー、  ４…カバー回動機構、  ５…ストッパ、  ２０…アンテナ部、  ２１…コネクタ部、  ３０…平面部、  ３１…側面部、  ４０，４０′…長溝、  ４１，４１′…ガイドピン、  ５０，５０′…凸部、  ５１，５１′…凹部、  ５２…フックバネ部材、  １００…ノート型パソコン、  １０１…カードスロット。
【図１】
2005196247.tif 000003
【図２】
2005196247.tif 000004
【図３】
2005196247.tif 000005
【図４】
2005196247.tif 000006
【図５】
2005196247.tif 000007
【図６】
2005196247.tif 000008
【図７】
2005196247.tif 000009
【図８】
2005196247.tif 000010
【図９】
2005196247.tif 000011
【図１０】
2005196247.tif 000012
【図１１】
2005196247.tif 000013
【図１２】
2005196247.tif 000014
【図１３】
2005196247.tif 000015
【図１４】
2005196247.tif 000016
【図１５】
2005196247.tif 000017
【図１６】
2005196247.tif 000018
【図１７】
2005196247.tif 000019
【図１８】
2005196247.tif 000020